(57)【要約】【課題】包装トレイのサイズを極力小さくしながらも製品の取り出し易さを悪化させないようにする。【解決手段】一枚の段ボール紙（板材）から、上方から電池蓋５１（製品）を出し入れする第２製品収納用凹部４を有する包装トレイ１を折り畳んで組み立てる。第２製品収納用凹部４に、上方へ延びるポケット脚部５ａと、ポケット脚部５ａに回動可能に支持されたポケット上板５ｂと、ポケット上板５ｂに連続するポケット側板５ｃと、ポケット側板５ｃに連続し、折り曲げられたときにポケット脚部５ａに係止されるポケット下板５ｄとを備えた子部品用ポケット５を設ける。そして、これらポケット上板５ｂとポケット下板５ｄとの間に電池５２（子部品）を挿入する。【選択図】図１
2011057270.tif 000002
【特許請求の範囲】
【請求項１】
一枚の板材を折り畳んで組み立てられ、少なくとも１つの製品収納用凹部に上方から製品を出し入れする包装トレイであって、
上記製品収納用凹部には、回動可能に支持された子部品用ポケットが設けられ、該子部品用ポケットに子部品が挿入されるように構成されている
ことを特徴とする包装トレイ。
【請求項２】
請求項１に記載の包装トレイにおいて、
上記子部品用ポケットは、
上方へ延びるポケット脚部と、
上記ポケット脚部に回動可能に支持されたポケット上板と、
上記ポケット上板に連続するポケット側板と、
上記ポケット側板に連続し、折り曲げられたときに上記ポケット脚部に係止されるポケット下板とを備え、
上記ポケット上板と上記ポケット下板との間に子部品が挿入されるように構成されている
ことを特徴とする包装トレイ。
【請求項３】
請求項２に記載の包装トレイにおいて、
上記製品収納用凹部は、上記包装トレイの底板よりも上方に中間底板を備え、
上記子部品用ポケットには、上記ポケット下板よりも下方に延びる固定用舌辺が形成され、
上記中間底板には、上記固定用舌辺が挿入される舌辺係止用開口が形成されている
ことを特徴とする包装トレイ。
【請求項４】
請求項３に記載の包装トレイにおいて、
上記ポケット脚部には、上記中間底板から延びる第２固定用舌辺が挿入されている
ことを特徴とする包装トレイ。
【請求項５】
請求項２乃至４のいずれか１つに記載の包装トレイにおいて、
上記ポケット上板の上記子部品の挿入側端部は、切り欠かれて円弧状に形成されている
ことを特徴とする包装トレイ。
【請求項６】
請求項２乃至５のいずれか１つに記載の包装トレイにおいて、
上記ポケット下板の子部品の挿入側端部には、上記子部品用ポケットの回動時に指を掛けるポケット指掛け用切欠が形成されている
ことを特徴とする包装トレイ。
【請求項７】
請求項６に記載の包装トレイにおいて、
上記中間底板には、上記ポケット指掛け用切欠に対応して中間底板側切欠が形成され、
上記ポケット指掛け用切欠及び上記中間底板側切欠に指を掛けて上記子部品用ポケットを引っ掛けて回動させるように構成されている
ことを特徴とする包装トレイ。
【請求項８】
請求項２乃至７のいずれか１つに記載の包装トレイにおいて、
上記包装トレイの側板には、折り曲げられて上記ポケット脚部の上方に配置され、上記子部品用ポケットの回動範囲を規制する規制用フラップが設けられている
ことを特徴とする包装トレイ。
【請求項９】
請求項１乃至８のいずれか１つに記載の包装トレイにおいて、
上記子部品用ポケットには、薄板形状の電池が挿入される
ことを特徴とする包装トレイ。
【請求項１０】
請求項９に記載の包装トレイにおいて、
上記製品収納用凹部には、上記電池を被う電池蓋が収納される
ことを特徴とする包装トレイ。
【発明の詳細な説明】
【技術分野】
【０００１】
本発明は、包装トレイに関するものである。
【背景技術】
【０００２】
従来より、電気機器などの製造メーカや果物などの生産者は、落下、振動等の影響がないように、製品を個装箱に梱包してユーザのもとに届けることは知られている。落下、振動の影響を低減するために個装箱内部の緩衝材を大きくすれば、個装箱が大きくなってしまい、輸送コストが高くなる。
【０００３】
例えば、特許文献１に示すように、方形の中央面の両側に、左右側壁、一半側底面及び縦仕切、主折り目、折り目を介して順次連設した形態を備え、中央面には、前後側壁及び二枚重ねの横仕切を、切起状に形成させるための複数の切起用切れ目を並列状に設け、左右側壁には起立用補助片を形成させ、トレイ折上げの際に互いに干渉する箇所に嵌合用切れ目を設け、一半側底面の抜け落ちを防ぐために、前後側壁の底辺に係止突片を連設し、折り目の両端にその挿嵌用切れ目を設ける苺用のトレイが知られている。
【先行技術文献】
【特許文献】
【０００４】
【特許文献１】特開平９−３０９５２４号公報
【発明の概要】
【発明が解決しようとする課題】
【０００５】
一般的に、例えば、図８及び図９に示すように、製品は、包装トレイに収納されたうえで、製品名などが印刷された個装箱に梱包されている。その個装箱１５３を１０個、２０個、５０個くらいに纏めて集合箱１５４に梱包される。そして、この集合箱１５４は、例えば、１０００×１０００ｍｍや１０００×１１００ｍｍの大きさのパレット１５５に積み上げられ、パレット１５５毎トラックに積載さる。
【０００６】
製品５０個入りの集合箱１５４が、パレット１５５の平面上に６箱並べられ高さ方向７段に積まれている。このため、１つのパレット１５５には製品が２１００個載せることができる。しかしながら、同じ大きさの集合箱１５４に対して、５行×１０列から５行×１１列だけ入るようにするには、例えば４４ｍｍ×６２ｍｍ×１３０ｍｍの個装箱１５３を３９ｍｍ×６２ｍｍ×１３０ｍｍに、すなわち個装箱１５３、その内部の包装トレイ及び製品の厚味を含め、５ｍｍ減少する必要がある。
【０００７】
これにより１つのパレット１５５に製品を２３１０個だけ載せることができる。例えば、１台のトラックにパレット１５５が２４台積載できるとすれば、製品を２１０×２４＝５０４０個も多く積むことができ、輸送費のコストダウンを図ることができる。このため、包装トレイ、個装箱１５３等の容器を小型化することが輸送費のコストダウンを大きく左右させることになる。
【０００８】
しかしながら、包装トレイを小さくしようとすると、上記特許文献１のような通気用開口や、製品を取り出すときに指を入れるための切欠を設けるのが困難になる場合がある。製品を取り出すときに指を入れるための切欠が設けられなくなると、製品を取り出しにくくなるという問題がある。
【０００９】
本発明は、かかる点に鑑みてなされたものであり、その目的とするところは、包装トレイのサイズを極力小さくしながらも製品の取り出し易さを悪化させないようにすることにある。
【課題を解決するための手段】
【００１０】
上記の目的を達成するために、この発明では、回動可能な子部品用ポケットを設けた。
【００１１】
具体的には、第１の発明では、一枚の板材を折り畳んで組み立てられ、少なくとも１つの製品収納用凹部に上方から製品を出し入れする包装トレイを対象とし、
上記製品収納用凹部には、回動可能に支持された子部品用ポケットが設けられ、該子部品用ポケットに子部品が挿入されるように構成されている。
【００１２】
上記の構成によると、スペースの関係で製品取出用の切欠を設けられない場合でも、製品収納用凹部に回動可能に支持された子部品用ポケットに子部品を収納することにより、包装トレイのサイズを大きくすることなく、子部品を簡単かつコンパクトに収納することができる。
【００１３】
第２の発明では、第１の発明において、
上記子部品用ポケットは、
上方へ延びるポケット脚部と、
上記ポケット脚部に回動可能に支持されたポケット上板と、
上記ポケット上板に連続するポケット側板と、
上記ポケット側板に連続し、折り曲げられたときに上記ポケット脚部に係止されるポケット下板とを備え、
上記ポケット上板と上記ポケット下板との間に子部品が挿入されるように構成されている。
【００１４】
上記の構成によると、子部品用ポケットが、ポケット脚部に連続するポケット上板、ポケット側板及びポケット下板を折り曲げることで形成され、さらにポケット下板がポケット脚部に係止されることで子部品用ポケットの形状が保持される。このため、スペースの関係で製品取出用の切欠を設けられない場合でも、ポケット脚部で回動可能に支持された子部品用ポケットに子部品を収納することにより、包装トレイのサイズを大きくすることなく、子部品を簡単かつコンパクトに収納することができる。
【００１５】
第３の発明では、第２の発明において、
上記製品収納用凹部は、上記包装トレイの底板よりも上方に中間底板を備え、
上記子部品用ポケットには、上記ポケット下板よりも下方に延びる固定用舌辺が形成され、
上記中間底板には、上記固定用舌辺が挿入される舌辺係止用開口が形成されている。
【００１６】
上記の構成によると、中間底板を設けることで、他の部品に比べてサイズが小さい部品を収納することができ、この部品よりもさらに小さい子部品を子部品用ポケットに収納したときに、子部品用ポケットの固定用舌辺が中間底板の舌辺係止用開口に簡単に係止される。このことで、子部品が堅固に子部品用ポケットに収納され、包装トレイが落下したり、製造ラインのローラ上での移動時などに振動を受けたりしても、子部品が飛び出さない。
【００１７】
第４の発明では、第３の発明において、
上記ポケット脚部には、上記中間底板から延びる第２固定用舌辺が挿入されている。
【００１８】
上記の構成によると、ポケット脚部が中間底板から延びる第２固定用舌辺に支持されることで、子部品用ポケットがぐらつかなくなる。
【００１９】
第５の発明では、第２乃至第４のいずれか１つの発明において、
上記ポケット上板の上記子部品の挿入側端部は、切り欠かれて円弧状に形成されている。
【００２０】
上記の構成によると、ポケット上板の挿入側端部を円弧状に切り欠くことにより、見映えよく子部品を露出させることができ、また、子部品の収納漏れを防ぐことができる。
【００２１】
第６の発明では、第２乃至第５のいずれか１つの発明において、
上記ポケット下板の子部品の挿入側端部には、上記子部品用ポケットの回動時に指を掛けるポケット指掛け用切欠が形成されている。
【００２２】
上記の構成によると、ポケット指掛け用切欠に指を掛けることで簡単に子部品用ポケットを回動させることができ、収納作業及び取り出し作業が簡単になる。
【００２３】
第７の発明では、第６の発明において、
上記中間底板には、上記ポケット指掛け用切欠に対応して中間底板側切欠が形成され、
上記ポケット指掛け用切欠及び上記中間底板側切欠に指を掛けて上記子部品用ポケットを引っ掛けて回動させるように構成されている。
【００２４】
上記の構成によると、中間底板にも中間底板側切欠を設けることで、中間底板にポケット下板が接していても、ポケット指掛け用切欠に指を簡単に掛けることができるので、コンパクトに子部品用ポケットを配置することができる。
【００２５】
第８の発明では、第２乃至第７のいずれか１つの発明において、
上記包装トレイの側板には、折り曲げられて上記ポケット脚部の上方に配置され、上記子部品用ポケットの回動範囲を規制する規制用フラップが設けられている。
【００２６】
上記の構成によると、規制用フラップを折り曲げるだけで、子部品用ポケットの回動範囲を規制することができると共に、製品収納用凹部に収納した子部品も外に飛び出しにくくなる。
【００２７】
第９の発明では、第１乃至第８のいずれか１つの発明において、
上記子部品用ポケットには、薄板形状の電池が挿入される。
【００２８】
上記の構成によると、厚さが薄いが、質量の重い電池をコンパクトかつ確実に子部品用ポケットに収納することができる。
【００２９】
第１０の発明では、第９の発明において、
上記製品収納用凹部には、上記電池を被う電池蓋が収納される構成とする。
【００３０】
上記の構成によると、中間底板で底上げされた製品収納用凹部に薄い電池蓋をコンパクトに収納することができる。
【発明の効果】
【００３１】
以上説明したように、本発明によれば、製品収納用凹部から上方へ延びるポケット脚部に子部品用ポケットを回動可能に支持し、この子部品用ポケットに子部品を挿入するようにしたことにより、包装トレイのサイズを極力小さくしながらも製品の取り出し易さを悪化させないようにすることができる。
【図面の簡単な説明】
【００３２】
【図１】本発明の実施形態に係る包装トレイに製品を収納する状態を示す斜視図である。
【図２】包装トレイに製品を収納する状態を示す断面図である。
【図３】包装トレイに製品を収納した包装トレイを個装箱に収納した状態を示す断面図である。
【図４】包装トレイの平面図である。
【図５】包装トレイの展開図である。
【図６】子部品用ポケットに電池を挿入する様子を拡大して示す斜視図である。
【図７】子部品用ポケットを拡大して示す斜視図である。
【図８】従来の包装トレイが収納された個装箱が纏められた集合箱をトラックに搭載する様子を示す平面図である。
【図９】従来の包装トレイが収納された個装箱が纏められた集合箱をトラックに搭載する様子を示す側面図である。
【発明を実施するための形態】
【００３３】
以下、本発明の実施形態を図面に基づいて説明する。
【００３４】
図１及び図２に、本発明の実施形態にかかる包装トレイ１に携帯電話機の各部品が収納された様子の一例を示す。図３に示すように、包装トレイ１は、例えば携帯電話機本体５０が収納された状態で、個装箱５３内の取扱説明書５４の上側に収納される。
【００３５】
図４に示すように、包装トレイ１は、平面視で矩形状にコンパクトに折り畳まれている。例えば、この包装トレイ１の天板２には、携帯電話機本体５０が上方から出し入れされる第１製品収納用凹部３が形成されている。この第１製品収納用凹部３に並んで、電池蓋５１が収納される第２製品収納用凹部４が形成されている。この第２製品収納用凹部４には、子部品としての電池５２が収納される子部品用ポケット５が設けられている。
【００３６】
この包装トレイ１は、図５に示す一枚の板材としての段ボール紙１ａ（わかりやすくするために切り欠かれて段ボール材料のない部分をハッチングで示す）を折り畳んで組み立てられる。段ボール紙１ａは、図示しないプレス機等により、切断され、かつ折れ線（図５に破線で示す）が設けられている。この展開図からもわかるように、第１製品収納用凹部３の底面は、包装トレイ１の底板１０で構成され、側面は、天板２から折り曲げられた天板第１フラップ２ａ及び天板第２フラップ２ｂと、底板１０に連続して立ち上げられた底板第１立ち上げ部１０ａ及び底板第２立ち上げ部１０ｂとで構成されている。収納された携帯電話機本体５０の左右に相当する部分の天板第１フラップ２ａ及び天板第２フラップ２ｂには、それぞれ切欠２ｃ，２ｄが形成され、携帯電話機本体５０の出し入れが容易となっている。
【００３７】
第２製品収納用凹部４の底面は、天板第２フラップ２ｂに連続する中間底板１１によって形成されている。この中間底板１１を設けることで、携帯電話機本体５０に比べてサイズ（厚さ）が小さい部品を収納することができるようになっている。第２製品収納用凹部４の側面は、天板第２フラップ２ｂと、底板１０に連続し、立ち上げられた状態で、この天板第２フラップ２ｂに対向する底板第３立ち上げ部１０ｃと、同じく底板１０に連続し、立ち上げられた状態で、互いに対向する底板第３立ち上げ部１０ｄ及び底板第４立ち上げ部１０ｅとで構成されている。なお、底板１０と天板２とは、包装トレイ１の厚さ方向に立ち上げられる手前側側板１２で連結されている。底板第１立ち上げ部１０ａ及び底板第３立ち上げ部１０ｄと、底板第２立ち上げ部１０ｂ及び底板第４立ち上げ部１０ｅとは、それぞれ、天板側連結板１３で連結され、組立状態では、天板側連結板１３が天板２の裏面に当接するようになっている。
【００３８】
そして、底板１０には、上記子部品用ポケット５を形成する部分がスリットと折れ線とで形成されている。この子部品用ポケット５は、底板１０から上方へ延びる、一対のポケット脚部５ａを備えている。このポケット脚部５ａには、ポケット上板５ｂが連続し、このポケット上板５ｂは、組立状態で、ポケット脚部５ａに回動可能に支持されている。ポケット上板５ｂには、ポケット側板５ｃが連続し、このポケット側板５ｃにポケット下板５ｄが連続している。組立状態で、ポケット下板５ｄの鉤状の部分がポケット脚部５ａに係止されて抜け止めされることで、子部品用ポケット５の形状が保持されるようになっている。この形状が保持された状態で、図６に示すように、ポケット上板５ｂとポケット下板５ｄとの間に電池５２が挿入可能となっている。
【００３９】
子部品用ポケット５には、ポケット側板５ｃに連続し、折り曲げられたときに、ポケット下板５ｄよりも下方に延びる固定用舌辺５ｅが形成されている。一方、中間底板１１には、固定用舌辺５ｅが挿入される舌辺係止用開口１１ａが形成されている。
【００４０】
しかも、一対のポケット脚部５ａの中間スペースには、中間底板１１から延びる第２固定用舌辺１１ｂが挿入されるようになっている。また、ポケット上板５ｂの電池５２の挿入側端部は、切り欠かれて円弧状に形成されている。
【００４１】
また、ポケット下板５ｄの電池５２の挿入側端部には、上記子部品用ポケット５の回動時に指を掛けるポケット指掛け用切欠５ｆが形成されている。一方、中間底板１１には、上記ポケット指掛け用切欠５ｆに対応して中間底板側切欠１１ｃが形成されている。ポケット指掛け用切欠５ｆと中間底板側切欠１１ｃとに指を掛け、子部品用ポケット５を引っ掛けて回動させるように構成されている。
【００４２】
底板第３立ち上げ部１０ｃには、折り曲げられてポケット脚部５ａの上方に配置され、子部品用ポケット５の回動範囲を規制する規制用フラップ１４が設けられている。
【００４３】
−包装トレイの使用方法−
次に、本実施形態にかかる包装トレイ１の使用方法について説明する。
【００４４】
まず、段ボール紙１ａから包装トレイ１を組み立てる。段ボール紙１ａには、予め折れ線やスリットが設けられているので、組立は容易である。そして、子部品用ポケット５が、ポケット脚部５ａに連続するポケット上板５ｂ、ポケット側板５ｃ及びポケット下板５ｄを折り曲げることで形成される。さらにポケット下板５ｄの鉤状の部分がポケット脚部５ａに係止されることで、子部品用ポケット５の形状が保持される。
【００４５】
図７に示す組立状態では、ポケット脚部５ａが中間底板１１から延びる第２固定用舌辺１１ｂに支持されている。しかも、子部品用ポケット５の固定用舌辺５ｅが中間底板１１の舌辺係止用開口１１ａに係止されているので、子部品用ポケット５がぐらつかない。
【００４６】
包装トレイ１に製品を収納するには、まず、第１製品収納用凹部３の上方から携帯電話機本体５０を挿入する。
【００４７】
次いで、図６に示すように、子部品用ポケット５を中間底板１１から引き起こす。図７にも示すように、このとき、ポケット下板５ｄの電池５２の挿入側端部には、ポケット指掛け用切欠５ｆが形成され、しかも、中間底板１１には、中間底板側切欠１１ｃが形成されているので、中間底板１１にポケット下板５ｄが接していても、ポケット指掛け用切欠５ｆ及び中間底板側切欠１１ｃに指を簡単に掛けることができるので、子部品用ポケット５を容易に引き起こすことができる。
【００４８】
次いで、図２に示すように、ポケット上板５ｂとポケット下板５ｄとの間に電池５２を挿入する。挿入後、再び、図３に示すように、子部品用ポケット５の固定用舌辺５ｅを中間底板１１の舌辺係止用開口１１ａに係止する。このことで、電池５２が堅固に子部品用ポケット５に収納され、包装トレイ１が落下したり、振動を受けたりしても、電池５２が飛び出さない。また、ポケット上板５ｂの挿入側端部が円弧状に切り欠かれているので、挿入が容易であり、しかも挿入後は、見映えよく電池５２を露出させることができ、また、電池５２の収納漏れを防ぐことができる。
【００４９】
次いで、第２製品収納用凹部４に電池蓋５１を収容する。
【００５０】
次いで、包装トレイ１に携帯電話機本体５０等が収納された包装トレイ１を個装箱５３内の取扱説明書５４の上側に収納する。このとき、子部品用ポケット５の上方に規制用フラップ１４が配置されているので、子部品用ポケット５の回動範囲を規制することができる。このため、第２製品収納用凹部４に収納した電池５２もさらに外に飛び出しにくくなる。
【００５１】
このように、子部品用ポケット５に、厚さが薄いが、質量の重い電池５２をコンパクトかつ確実に子部品用ポケット５に収納することができる。そして、中間底板１１で底上げされた第２製品収納用凹部４に薄い電池蓋５１をコンパクトに収納することができる。
【００５２】
したがって、本実施形態にかかる包装トレイ１によると、スペースの関係で製品取出用の切欠を設けにくい場合でも、ポケット脚部５ａで回動可能に支持された子部品用ポケット５に電池５２を収納することにより、包装トレイのサイズを大きくすることなく、電池５２を簡単かつコンパクトに収納することができる。
【００５３】
（その他の実施形態）
本発明は、上記実施形態について、以下のような構成としてもよい。
【００５４】
すなわち、上記実施形態では、包装トレイ１の子部品用ポケット５に電池５２を収納するようにしたが、子部品は、これに限定されず、第２製品収納用凹部４の形状も上記実施形態に限定されない。特に、第２製品収納凹部４が中間底板１１を有する場合のようなスペースが限られるときに、上記実施形態の子部品用ポケット５を設ける効果が発揮される。
【００５５】
なお、以上の実施形態は、本質的に好ましい例示であって、本発明、その適用物や用途の範囲を制限することを意図するものではない。
【符号の説明】
【００５６】
１      包装トレイ
１ａ    段ボール紙（板材）
２      天板
４      第２製品収納用凹部
５      子部品用ポケット
５ａ    ポケット脚部
５ｂ    ポケット上板
５ｃ    ポケット側板
５ｄ    ポケット下板
５ｅ    固定用舌辺
５ｆ    ポケット指掛け用切欠
１１      中間底板
１１ａ    舌辺係止用開口
１１ｂ    第２固定用舌辺
１１ｃ    中間底板側切欠
１４      規制用フラップ
５１      電池蓋（製品）
５２      電池（子部品）
【図１】
2011057270.tif 000003
【図２】
2011057270.tif 000004
【図３】
2011057270.tif 000005
【図４】
2011057270.tif 000006
【図５】
2011057270.tif 000007
【図６】
2011057270.tif 000008
【図７】
2011057270.tif 000009
【図８】
2011057270.tif 000010
【図９】
2011057270.tif 000011